(57)【要約】【課題】利用者が指定した施設の周辺に複数の駅がある場合においても、乗車券の購入操作を煩雑にすることなく、利用者に対するサービスが低下するのを抑えられる。【解決手段】券売機１は、操作部１３で受け付けた目的地の周辺駅を取得する。券売機１は、取得した周辺駅が複数である場合、取得された周辺駅毎に、目的地までの移動に要する所要時間と運賃とを対応付けた乗車券選択画面５０を表示部１２が表示器１２ａに表示する。そして、券売機１は、乗車券選択画面５０に表示されているいずれかの周辺駅が選択されると、選択された周辺駅までの乗車券を発券部１４が発券する。【選択図】図３
2019149062.tif 000002
【特許請求の範囲】
【請求項１】
目的地の入力を受け付ける目的地受付部と、
前記目的地受付部で受け付けた目的地の周辺駅を取得する周辺駅取得部と、
前記周辺駅取得部によって取得された周辺駅が複数である場合、取得された周辺駅毎に、目的地までの移動に要する所要時間と運賃とを対応付けた候補リスト画面を表示する表示部と、
前記候補リスト画面に表示されているいずれかの周辺駅が選択されると、選択された周辺駅までの乗車券を発券する発券部と、を備えた券売機。
【請求項２】
前記表示部は、周辺駅毎に、その周辺駅までの移動に要する所要時間、および当該周辺駅から目的地までの移動に要する所要時間を含む前記候補リスト画面を表示する、請求項１に記載の券売機。
【請求項３】
前記表示部は、周辺駅毎に、その周辺駅までの移動における乗換回数を含む前記候補リスト画面を表示する、請求項１、または２に記載の券売機。
【請求項４】
前記目的地受付部で受け付けた目的地に対する乗車券の発券履歴に基づき、前記周辺駅取得部によって取得された周辺駅の中から、推奨する推奨駅を決定する推奨駅決定部を備え、
前記表示部は、前記推奨駅決定部が決定した推奨駅である周辺駅に、推奨マークを付した前記候補リスト画面を表示する、請求項１〜３のいずれかに記載の券売機。
【請求項５】
目的地受付部で受け付けた目的地の周辺駅を取得する周辺駅取得ステップと、
前記周辺駅取得ステップで取得された周辺駅が複数である場合、取得された周辺駅毎に、目的地までの移動に要する所要時間と運賃とを対応付けた候補リスト画面を表示部に表示させる表示ステップと、
前記候補リスト画面に表示されているいずれかの周辺駅が選択されると、選択された周辺駅までの乗車券を発券部に発券させる発券ステップと、をコンピュータが実行する発券方法。
【請求項６】
目的地受付部で受け付けた目的地の周辺駅を取得する周辺駅取得ステップと、
前記周辺駅取得ステップで取得された周辺駅が複数である場合、取得された周辺駅毎に、目的地までの移動に要する所要時間と運賃とを対応付けた候補リスト画面を表示部に表示させる表示ステップと、
前記候補リスト画面に表示されているいずれかの周辺駅が選択されると、選択された周辺駅までの乗車券を発券部に発券させる発券ステップと、をコンピュータに実行させる発券プログラム。
【発明の詳細な説明】
【技術分野】
【０００１】
この発明は、公共交通機関の乗車券を発券する技術に関する。
【背景技術】
【０００２】
従来、駅の改札口周辺には、乗車券を発券する券売機が設置されている。券売機は、設置されている駅（自駅）を乗車駅とした乗車券を発券する。利用者は、降車駅までの運賃を運賃表示板等で確認し、確認した運賃に応じた発券金額の乗車券を券売機で購入していた。
【０００３】
また、利用者が、遊園地や動物園等の施設を指定することにより、指定した施設の最寄り駅までの乗車券を購入することができる構成の券売機もあった（特許文献１参照）。
【先行技術文献】
【特許文献】
【０００４】
【特許文献１】特開２００２−２０８０３７号公報
【発明の概要】
【発明が解決しようとする課題】
【０００５】
しかしながら、最近では、施設が大型化しており、また公共交通機関の鉄道網において駅が増加していることから、周辺に複数の駅がある施設も多くなってきている。特許文献１は、指定された施設に対応する最寄り駅が１つであることを前提にしている。このため、特許文献１の構成では、利用者（乗車券を購入する者）が施設を指定すると、その施設に対応付けられている特定の駅を降車駅とした乗車券が発券される。すなわち、特許文献１の構成では、利用者が指定した施設の周辺に複数の駅がある場合、降車駅を利用者の都合に関係なく決定し、乗車券を発券することになる。このことは、利用者に対するサービスを低下させることにもなる。
【０００６】
この発明の目的は、利用者が指定した施設の周辺に複数の駅がある場合においても、乗車券の購入操作を煩雑にすることなく、利用者に対するサービスが低下するのを抑えられる技術を提供することにある。
【課題を解決するための手段】
【０００７】
この発明の券売機は、上記目的を達成するため以下に示すように構成している。
【０００８】
周辺駅取得部が、目的地受付部で目的地の入力を受け付けると、その目的地の周辺駅を取得する。表示部が、周辺駅取得部によって取得された周辺駅が複数である場合、取得された周辺駅毎に、目的地までの移動に要する所要時間と運賃とを対応付けた候補リスト画面を表示する。そして、発券部が、候補リスト画面に表示されているいずれかの周辺駅が選択されると、選択された周辺駅までの乗車券を発券する。
【０００９】
この構成によれば、利用者が指定した施設の周辺に複数の駅（周辺駅）がある場合には、周辺駅毎に、目的地までの移動に要する所要時間と運賃とを利用者に提示する。このため、利用者は、目的地までの移動に要する所要時間と運賃とを指標にして、自分の都合にあった降車駅（周辺駅のいずれかの駅）を選択することができる。したがって、利用者が指定した施設の周辺に複数の駅がある場合においても、乗車券の購入操作を煩雑にすることなく、利用者に対するサービスが低下するのを抑えられる。
【００１０】
また、表示部は、周辺駅毎に、当該周辺駅から目的地までの移動に要する所要時間を含む候補リスト画面を表示してもよい。周辺駅から目的地までの移動に要する所要時間は、降車駅から施設までの徒歩時間であってもよいし、タクシー等の他の交通手段を利用するものであってもよい。したがって、利用者は、目的地までの移動に要する所要時間と運賃に加えて、降車駅から施設までの徒歩時間等も指標にして、降車駅を選択できる。
【００１１】
また、表示部は、周辺駅毎に、その周辺駅までの移動における乗換回数を含む候補リスト画面を表示してもよい。このように構成すれば、利用者は、目的地までの移動に要する所要時間と運賃に加えて、降車駅までの乗換回数も指標にして、降車駅を選択できる。
【００１２】
さらに、目的地受付部で受け付けた目的地に対する乗車券の発券履歴に基づき、周辺駅取得部によって取得された周辺駅の中から、推奨する推奨駅を決定する推奨駅決定部を備え、表示部は、推奨駅決定部が決定した推奨駅である周辺駅に、推奨マークを付した候補リスト画面を表示する構成にしてもよい。例えば、これまで最も多くの利用者が降車駅として選択した周辺駅を推奨駅に決定することによって、評判のよい周辺駅を利用者に認識させることができ、利用者に対するサービスの向上が図れる。
【発明の効果】
【００１３】
この発明によれば、利用者が指定した施設の周辺に複数の駅がある場合においても、乗車券の購入操作を煩雑にすることなく、利用者に対するサービスが低下するのを抑えられる。
【図面の簡単な説明】
【００１４】
【図１】券売システムの構成を示す概略図である。
【図２】券売機における乗車券選択画面の例を示す図である。
【図３】この例にかかる券売機の主要部の構成を示すブロック図である。
【図４】この例にかかる券売機の外観を示す概略図である。
【図５】データサーバ２の目的地ＤＢを示す図である。
【図６】目的地入力によるキップの発券処理を示すフローチャートである。
【図７】別の例にかかる目的地入力によるキップの発券処理を示すフローチャートである。
【発明を実施するための形態】
【００１５】
以下、この発明の実施形態について説明する。
【００１６】
＜１．適用例＞
図１は、この発明の実施形態にかかる券売機を利用した券売システムの構成を示す概略図である。図１に示す券売システムは、１つ以上の券売機１がデータサーバ２に接続されている。この例では、データサーバ２に接続されている券売機１は、同じ駅に設置されている。また、この例では、データサーバ２も、券売機１と同じ駅に設置されている。データサーバ２は、例えば券売機１と同じ駅に設置されている駅サーバを利用してもよい。券売機１は、ネットワークを介してデータサーバ２に接続されており、データサーバ２の目的地データベース２ａ（目的地ＤＢ２ａ）にアクセスすることができる。
【００１７】
この例にかかる券売機１では、利用者は、目的地を入力することにより、その目的地に移動するための乗車券を購入することができる。具体的には、利用者は、券売機１に対して、遊園地や動物園等の施設を目的地として入力する。券売機１は、入力された目的地の周辺駅を取得する。券売機１は、取得した周辺駅毎に運賃、降車駅までの移動における乗換回数、当駅から降車駅までの移動に要する時間（電車移動時間）、降車駅から目的地までの移動に要する時間（徒歩移動時間）、当駅から目的地までの移動に要する合計所要時間（電車移動時間＋徒歩移動時間）等を対応付けた、乗車券選択画面５０を表示する。図２は、この例の券売機における乗車券選択画面の例を示す図である。この乗車券選択画面５０が、この発明で言う候補リスト画面に相当する。
【００１８】
なお、この例では、降車駅から目的地までの移動が徒歩であるとしているが、タクシー等の鉄道以外の他の交通機関を利用するものであってもよい。降車駅から目的地までの移動が徒歩以外である場合、その移動手段を乗車券選択画面で示すのが好ましい。
【００１９】
また、図２に示すように、乗車券選択画面５０では、目的地への移動において、推奨する周辺駅に対して推奨マーク５１を付しているとともに、周辺駅の周辺画像５２を付している。乗車券選択画面５０において、周辺画像５２が対応付けられていない周辺駅（図２では、ＡＡＡ駅）は、周辺画像５２が登録されていない駅である。
【００２０】
したがって、利用者は、券売機１に対して目的地を入力し、表示された乗車券選択画面５０において、運賃、乗換回数、電車移動時間、徒歩移動時間、合計所要時間等を指標にして、自分の都合にあった乗車券（周辺駅のいずれかの駅）を選択することができる。このため、この例にかかる券売機１は、利用者が指定した目的地の周辺に複数の駅がある場合においても、乗車券の購入操作を煩雑にすることなく、利用者に対するサービスが低下するのを抑えられる。
【００２１】
また、利用者が、目的の施設に移動するのに、どの乗車券がよいのかを判断できず、駅係員に問い合わせる頻度を抑えることができる。すなわち、駅係員の作業負担を低減できる。
【００２２】
＜２．構成例＞
図３は、この例にかかる券売機の主要部の構成を示すブロック図である。また、図４は、この例にかかる券売機の外観を示す概略図である。この例にかかる券売機１は、制御ユニット１１と、表示部１２と、操作部１３と、発券部１４と、通信部１５と、硬貨処理部１６と、紙幣処理部１７と、カード処理部１８とを備えている。券売機１は、駅に設置され、設置されている駅（自駅）を乗車駅としたキップを発券する。券売機１は、キップ以外の乗車券（回数券や定期券等）を発券する機能を有していてもよいし、有していなくてもよい。
【００２３】
制御ユニット１１は、券売機１本体が備える各部の動作を制御する。また、制御ユニット１１は、周辺駅情報取得部１１ａ、および推奨駅決定部１１ｂを有する。周辺駅情報取得部１１ａ、および推奨駅決定部１１ｂの詳細については、後述する。
【００２４】
表示部１２は、本体正面に設けた表示器１２ａを有する。表示部１２は、この表示器１２ａの画面表示を制御する。
【００２５】
操作部１３は、表示器１２ａの画面上に貼付したタッチパネル１３ａを有する。操作部１３は、タッチパネル１３ａにおける利用者の入力操作（利用者が指で押下したタッチパネル１３ａ上の押下位置）を検出する。利用者は、操作部１３において、購入する乗車券を選択する入力操作等を行う。また、操作部１３は、入力デバイスとして押し釦スイッチも備えている。操作部１３が、この発明で言う目的地受付部に相当する。
【００２６】
発券部１４は、乗車券を発券する処理を行う。券売機１には、本体正面に発券口１４ａが設けられている。発券部１４は、利用者に対して発券する乗車券を発券口１４ａに放出する。
【００２７】
通信部１５は、データサーバ２、および他の駅務機器（他の券売機１、自動改札機、精算機等）との間における通信を制御する。
【００２８】
また、券売機１には、本体正面に硬貨投入口１６ａ、および釣銭硬貨受皿１６ｂが設けられている。利用者は、乗車券の発券等にかかる取引金額の精算に用いる硬貨を硬貨投入口１６ａに投入する。硬貨処理部１６は、利用者が硬貨投入口１６ａに投入した硬貨を受け付ける。また、硬貨処理部１６は、利用者に対して返却するつり銭等にかかる硬貨を釣銭硬貨受皿１６ｂに放出する。硬貨投入口１６ａは、複数枚（２〜３枚程度）の硬貨が重なった状態であっても、券売機１本体に投入できる形状である。硬貨処理部１６は、利用者が投入した硬貨や、利用者に対して釣銭等として放出する釣銭硬貨について、金種や真偽を識別する硬貨識別部を有している。
【００２９】
また、券売機１には、本体正面に紙幣投入口１７ａ、および紙幣放出口１７ｂが設けられている。利用者は、乗車券の発券等にかかる取引金額の精算に用いる紙幣を紙幣投入口１７ａに投入する。紙幣処理部１７は、利用者が紙幣投入口１７ａに投入した紙幣を受け付ける。また、紙幣処理部１７は、利用者に対して返却するつり銭にかかる紙幣を紙幣放出口１７ｂに放出する。紙幣処理部１７は、利用者が投入した紙幣や、利用者に対して釣銭として放出する紙幣について、金種や真偽を識別する紙幣識別部を有している。
【００３０】
また、券売機１には、本体正面にカード挿入／放出口１８ａが設けられている。カード処理部１８は、カード挿入／放出口１８ａに挿入されたＳＦカード（Stored Fare Card）に対してチャージ等にかかる処理を行う。また、カード処理部１８は、カード挿入／放出口１８ａに挿入されたクレジットカードで、乗車券の発券金額を決済するクレジット処理機能を有していてもよい。
【００３１】
次に、制御ユニット１１が有する、周辺駅情報取得部１１ａ、および推奨駅決定部１１ｂについて説明する。周辺駅情報取得部１１ａは、利用者が操作部１３において入力した目的地に対応する周辺駅情報を、データサーバ２にアクセスして取得する。券売機１は、データサーバ２との通信を通信部１５で行う。
【００３２】
データサーバ２の目的地ＤＢ２ａは、遊園地や動物園等の施設毎に、その施設に対応する１、または複数の周辺駅を登録している。図５は、データサーバ２の目的地ＤＢを示す図である。目的地ＤＢ２ａは、周辺駅毎に、運賃、乗換回数、電車移動時間、徒歩移動時間、発券回数、および駅周辺画像を対応付けて記憶する。
【００３３】
発券回数、および駅周辺画像については、記憶されていない場合もある。この例では、発券回数は、目的地に対応する周辺駅が１つである場合、記憶しない構成である。駅周辺画像は、オペレータによって登録された画像であり、オペレータによって画像の登録が行われていな周辺駅については、駅周辺画像が登録されていない。
【００３４】
例えば、図５に示す例では、目的地ＤＢ２ａには、目的地である遊園地Ｘに対して、３つの周辺駅（ＡＡＡ、ＢＢＢ、ＣＣＣ）が登録されている。また、目的地ＤＢ２ａには、目的地である動物園Ｙに対して、２つの周辺駅（ＡＸＡ、ＢＸＢ）が登録されており、目的地であるＫ神社に対して、１つの周辺駅（ＡＹＡ）が登録されている。目的地であるＫ神社は登録されている周辺駅が１つであるので、この周辺駅に対して発券回数にかかるデータが登録されていない。また、図５に示す例では、ＡＡＡ、ＡＸＡ、およびＡＹＡの３つの駅については、駅周辺画像が登録されていない（ＢＢＢ、ＣＣＣ、およびＢＸＢの３つの駅については、駅周辺画像が登録されている。）。
【００３５】
周辺駅情報取得部１１ａは、利用者が操作部１３において入力した目的地に対応づけられている全ての周辺駅についての、運賃、乗換回数、電車移動時間、徒歩移動時間、発券回数、および駅周辺画像を目的地ＤＢ２ａから周辺駅情報として取得する。周辺駅情報取得部１１ａが、この発明で言う、周辺駅取得部に相当する。
【００３６】
推奨駅決定部１１ｂは、利用者が操作部１３において入力した目的地に対応づけられている周辺駅が複数である場合、周辺駅情報取得部１１ａが目的地ＤＢ２ａから取得した周辺駅情報に基づいて、推奨駅を決定する。具体的には、推奨駅決定部１１ｂは、目的地に対応づけられている複数の周辺駅の中で、過去の発券回数が最も多い周辺駅を推奨駅に決定する。
【００３７】
券売機１の制御ユニット１１は、ハードウェアＣＰＵ、メモリ、その他の電子回路によって構成されている。ハードウェアＣＰＵが、この発明にかかる発券プログラムを実行したときに、周辺駅情報取得部１１ａ、および推奨駅決定部１１ｂとして動作する。また、メモリは、この発明にかかる発券プログラムを展開する領域や、この発券プログラムの実行時に生じたデータ等を一時記憶する領域を有している。制御ユニット１１は、ハードウェアＣＰＵ、メモリ等を一体化したＬＳＩであってもよい。また、ハードウェアＣＰＵが、この発明にかかる発券方法を実行するコンピュータである。
【００３８】
＜３．動作例＞
次に、この券売機１におけるキップの発券動作について説明する。図６は、目的地入力によるキップの発券処理を示すフローチャートである。
【００３９】
なお、この券売機１は、表示部１２が発券可能なキップの種類別に選択ボタン（金額ボタン）を表示器１２ａの画面に表示し、操作部１３が表示器１２ａの画面上において利用者が押下した選択ボタンをタッチパネル１３ａで検出し、発券部１４が操作部１３において検出された選択ボタンに応じた券種コードのキップを発券する、公知の発券処理も行えるが、この発券処理についてはここでは説明を省略する。また、券売機１は、カード挿入／放出口１８ａに挿入されたＳＦカード（Stored Fare Card）に対してチャージ等にかかる公知のカード処理も行えるが、このカード処理についてもここでは説明を省略する。
【００４０】
券売機１は、操作部１３において目的地モードが選択されると、図６に示す処理を実行する。券売機１は、操作部１３において、利用者による目的地の入力を受け付ける（ｓ１）。例えば、券売機１は、目的地モードが選択されると、表示部１２が表示器１２ａに目的地の選択画面を表示し、利用者による目的地の選択を受け付ける構成であってもよいし、利用者が音声で目的地を入力する構成であってもよいし、その他の構成であってもよい。券売機１は、利用者が目的地を入力することができる構成であれば、どのような構成であってもよい。
【００４１】
券売機１は、ｓ１で利用者が入力した目的地に対応する周辺駅情報を取得する（ｓ２）。ｓ２にかかる処理は、周辺駅情報取得部１１ａが通信部１５を制御してデータサーバ２にアクセスし、目的地ＤＢ２ａから該当する目的地にかかる周辺駅情報を取得する。
【００４２】
周辺駅情報取得部１１ａは、ｓ２で取得した周辺駅情報に基づき、目的地の周辺駅が複数である場合、これら複数の周辺駅に対して候補順位を決定する（ｓ３）。ｓ３では、例えば、運賃が安い、合計所要時間が短い、乗換回数が少ない、徒歩時間が短い、発券回数が多い、をこの順番で優先項目にして候補順位を決定する。具体的には、まず運賃が安い順番に候補順位を仮決定する。次に、運賃で仮決定した順位に複数の周辺駅がある場合（すなわち、運賃が同じ金額である周辺駅がある場合）、運賃が同じ金額である周辺駅について、合計所要時間が短い順番に候補順位を仮決定する。また、合計所要時間で仮決定した順位に複数の周辺駅がある場合（すなわち、合計所要運賃が同じ時間である周辺駅がある場合）、合計所要時間が同じ時間である周辺駅について、乗換回数が少ない順番に候補順位を仮決定する。また、乗換回数で仮決定した順位に複数の周辺駅がある場合（すなわち、乗換回数が同じ回数である周辺駅がある場合）、乗換回数が同じ回数である周辺駅について、徒歩時間が少ない順番に候補順位を仮決定する。さらに、徒歩時間で仮決定した順位に複数の周辺駅がある場合（すなわち、徒歩時間が同じ時間である周辺駅がある場合）、徒歩時間が同じ時間である周辺駅について、これまでの発券回数が多い順番に候補順位を決定する。
【００４３】
なお、上記の候補順位を決定する手順は、あくまでも１例であり、上記の手順に限定されるものではない。
【００４４】
推奨駅決定部１１ｂは、周辺駅情報取得部１１ａがｓ２で取得した周辺駅情報に基づき、目的地の周辺駅が複数である場合、複数の周辺駅の中から、推奨駅を決定する（ｓ４）。ｓ４では、複数の周辺駅の中で、これまでの発券回数が最も多い周辺駅を推奨駅に決定する。
【００４５】
なお、ｓ３、およびｓ４にかかる処理は、上記の順番に限らず、逆の順番に行ってもよいし、また同時並行的に行ってもよい。
【００４６】
券売機１は、表示部１２が表示器１２ａに、乗車券選択画面５０（図２参照）を表示する（ｓ５）。この乗車券選択画面５０では、目的地の周辺駅をｓ３で決定した候補順位にしたがって並べている。また、ｓ４で推奨駅に決定した周辺駅には、推奨マーク５１が付されている。また、周辺駅毎に、運賃、乗換回数、電車移動時間、徒歩移動時間、合計所要時間、および降車駅の周辺画像５２が示されている（降車駅の周辺画像５２は、目的地ＤＢ２ａに画像が登録されている周辺駅に限る。）。
【００４７】
券売機１は、ｓ５で、表示部１２が乗車券選択画面５０を表示器１２ａに表示すると、利用者による乗車券の選択入力を待つ（ｓ６）。利用者は、表示器１２ａに表示された乗車券選択画面５０において、運賃、乗換回数、電車移動時間、徒歩移動時間、合計所要時間等を指標にして、自分の都合にあった乗車券（周辺駅のいずれかの駅）を選択する入力操作を行う。また、利用者は、乗車券選択画面５０において推奨マーク５１が付されていることで、評判のよい周辺駅を認識することができる。
【００４８】
券売機１は、操作部１３において利用者による乗車券の選択入力を受け付けると、選択された乗車券の発券金額を決済する貨幣の投入を利用者に促す画面を表示器１２ａに表示する。このとき、表示器１２ａには、発券金額の投入を利用者に促す画面が表示される。制御ユニット１１は、硬貨処理部１６、および紙幣処理部１７において、利用者が乗車券の発券金額を決済する貨幣を投入するのを待つ（ｓ７）。
【００４９】
利用者が、乗車券の発券金額を決済する貨幣を硬貨投入口１６ａや紙幣投入口１７ａに投入すると（利用者が発券金額以上の貨幣を投入すると、）、発券部１４が、ｓ６で選択された乗車券を発券するとともに、硬貨処理部１６、および紙幣処理部１７が必要に応じてつり銭を放出する（ｓ８）。発券部１４は、発券口１４ａに乗車券を放出する。硬貨処理部１６は、つり銭にかかる硬貨を、釣銭硬貨受皿１６ｂに放出する。また、紙幣処理部１７は、つり銭にかかる紙幣を紙幣放出口１７ｂに放出する。
【００５０】
券売機１は、今回の乗車券の発券にともない、目的地ＤＢ２ａを更新し（ｓ９）、本処理を終了する。ｓ９では、今回ｓ８で発券した乗車券について、目的地ＤＢ２ａに登録されている発券回数を１カウントアップする。
【００５１】
なお、券売機１は、ｓ１で利用者が入力した目的地に対応する周辺駅が１つである場合には、ｓ９にかかる処理を実行することなく、本処理を終了する。
【００５２】
このようにこの例にかかる券売機１では、利用者は、券売機１に対して目的地を入力すると、表示された乗車券選択画面５０において、運賃、乗換回数、電車移動時間、徒歩移動時間、合計所要時間等を指標にして、自分の都合にあった乗車券（周辺駅のいずれかの駅）を選択することができる。したがって、この例にかかる券売機１は、利用者が指定した目的地の周辺に複数の周辺駅がある場合においても、乗車券の購入操作を煩雑にすることなく、利用者に対するサービスが低下するのを抑えられる。
【００５３】
また、利用者が、目的の施設に移動するのに、どの乗車券がよいのかを判断できず、駅係員に問い合わせる頻度を抑えることができる。すなわち、駅係員の作業負担を低減できる。
【００５４】
＜４．変形例＞
次に、この発明の変形例について説明する。この変形例にかかる券売機１は、上記した例の券売機１と同様の構成であり、図６に示した処理に換えて、図７に示す処理を実行する点で相違する。この変形例にかかる券売機１は、周辺駅情報取得部１１ａがｓ２で取得した周辺駅情報に基づき、ｓ１で入力された目的地の周辺駅が複数であるかどうかを判定する（ｓ１１）。券売機１は、ｓ１１で、ｓ１で入力された目的地の周辺駅が複数でない（すなわち、周辺駅が１つである。）と判定すると、上述したｓ７以降の処理を行う。一方、券売機１は、ｓ１１で、ｓ１で入力された目的地の周辺駅が複数であると判定すると、述したｓ３以降の処理を行う。
【００５５】
この変形例の券売機１では、上記の券売機１と同様に、利用者が指定した目的地の周辺に複数の周辺駅がある場合、乗車券の購入操作を煩雑にすることなく、利用者に対するサービスが低下するのを抑えられる。また、利用者が指定した目的地の周辺駅が１つである場合には、ｓ３〜ｓ６にかかる処理を実行しないので、券売機１本体の処理負荷を低減できるとともに、利用者に対して乗車券を選択させる操作を無駄に行わせることがない。
【００５６】
また、上記の例では、目的地ＤＢ２ａをデータサーバ２に設けるとしたが、この目的地ＤＢ２ａを券売機１に設けてもよい。ただし、この場合には、同じ駅に設置されている券売機１間で、ｓ９にかかる目的地ＤＢ２ａの更新を行う。具体的には、ある券売機１が、ｓ８で乗車券を発券すると、その乗車券を発券したことを、同じ駅に設置されている他の券売機１に通知し、目的地ＤＢ２ａに登録されている該当する乗車券の発券回数を１カウントアップさせる。また、ｓ８で乗車券を発券した券売機１も、目的地ＤＢ２ａに登録されている該当する乗車券の発券回数を１カウントアップする。
【００５７】
また、図２に示した乗車券選択画面５０では、周辺駅毎に運賃と合計所要時間とを対応付けて表示すればよく、乗換回数、電車移動時間、徒歩移動時間、推奨マーク５１、および降車駅の周辺画像５２については、利用者に対するサービスの向上と、表示器１２ａの画面の煩雑さ、本券売システムの構築コスト等を考慮して、個別に表示するかどうかを決めればよい。例えば、券売機１は、乗車券選択画面５０において、推奨マーク５１を表示しない構成であれば、推奨駅決定部１１ｂにかかる構成を不要にできる。また、券売機１は、乗車券選択画面５０において、降車駅の周辺画像５２を表示しない構成であれば、降車駅の周辺画像５２を目的地ＤＢ２ａに記憶させなくてもよいので、目的地ＤＢ２ａの記憶容量を抑えることができる。
【００５８】
また、ｓ３における候補順位の決定において、ｓ４で決定した推奨駅を１位にしてもよい。
【００５９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００６０】
さらに、この発明に係る構成と上述した実施形態に係る構成との対応関係は、以下の付記のように記載できる。  
＜付記＞
目的地の入力を受け付ける目的地受付部（１３）と、
前記目的地受付部（１３）で受け付けた目的地の周辺駅を取得する周辺駅取得部（１１ａ）と、
前記周辺駅取得部（１１ａ）によって取得された周辺駅が複数である場合、取得された周辺駅毎に、目的地までの移動に要する所要時間と運賃とを対応付けた候補リスト画面（５０）を表示する表示部（１２）と、
前記候補リスト画面（５０）に表示されているいずれかの周辺駅が選択されると、選択された周辺駅までの乗車券を発券する発券部（１４）と、を備えた券売機（１）。
【符号の説明】
【００６１】
１…券売機
２…データサーバ
２ａ…目的地データベース（目的地ＤＢ）
１１…制御ユニット
１１ａ…周辺駅情報取得部
１１ｂ…推奨駅決定部
１２…表示部
１２ａ…表示器
１３…操作部
１３ａ…タッチパネル
１４…発券部
１４ａ…発券口
１５…通信部
１６…硬貨処理部
１６ａ…硬貨投入口
１６ｂ…釣銭硬貨受皿
１７…紙幣処理部
１７ａ…紙幣投入口
１７ｂ…紙幣放出口
１８…カード処理部
１８ａ…放出口
５０…乗車券選択画面
５１…推奨マーク
５２…周辺画像
【図１】
2019149062.tif 000003
【図２】
2019149062.tif 000004
【図３】
2019149062.tif 000005
【図４】
2019149062.tif 000006
【図５】
2019149062.tif 000007
【図６】
2019149062.tif 000008
【図７】
2019149062.tif 000009